【事件の表示】
　平成　７年特許願第　１１００１号「遊技機の画像表示装置」拒絶査定不服審判事件〔平成　８年　８月　６日出願公開、特開平　８−１９６７０６〕について、次のとおり審決する。
【結　論】
　本件審判の請求は、成り立たない。
【理　由】
　　　
第一、手続きの経緯
　本願は、平成７年１月２６日の出願であって、平成１７年１月２６日付けで拒絶理由が通知され、これに対し、同年４月１日付けで手続補正がなされ、同年７月２６日付けで拒絶査定がなされ、これに対し、同年９月１日に拒絶査定不服の審判請求がなされるとともに、同年９月２２日付け手続補正によって明細書の一部が補正されたものである。
　
第二、平成１７年９月２２日付けの手続補正についての補正却下の決定
［補正却下の決定の結論］
　平成１７年９月２２日付けの手続補正（以下、「本件補正」という。）を却下する。
［理由］
　（二、１）補正後の本願発明
　本件補正により、特許請求の範囲の請求項１は、「
表
に複
を表示するために複数行複数列に区分された複数のエリアと、複数のエリアに
を可変表示の開始から停止まで表示領域の長辺と平行する方向に
して停止する図柄変動手段と、複数の図柄の停止する当たりラインが複数であって当たりラインに停止した複数の図柄が当たり図柄の組み合わせに揃った場合に遊技者に有利な遊技状況を発生する制御部と
　
　上記補正は、
　（イ）補正前（平成１７年４月１日付け手続補正により補正された特許請求の範囲）の請求項１を削除し、
　（ロ）補正前の請求項２に記載された「電気的な表示パネル」を「表示パネル」に、「電気的に表示された複数の図柄」を「複数の図柄」に、「制御部が・・・図柄変動手段を備え」を「図柄変動手段・・・を備え」に、それぞれ補正し、
　（ハ）「遊技者に有利な遊技状況を発生する制御部」について、「停止した図柄が当たり図柄である場合に」を「複数の図柄の停止する当たりラインが複数であって当たりラインに停止した複数の図柄が当たり図柄の組み合わせに揃った場合に」と限定するものであるから、
　本件補正は、平成６年改正前特許法第１７条の２第３項第１号の請求項の削除、同条同項第４号の明りょうでない記載の釈明及び同条同項第２号の特許請求の範囲の減縮を目的とするものに該当する。
　
　（二、２）そこで、本件補正後の前記請求項１に記載された発明（以下、「本願補正発明」という。）が特許出願の際独立して特許を受けることができるものであるのか（平成６年改正前特許法第１７条の２第４項において準用する同法第１２６条第３項の規定に適合するか）について以下に検討する。
　
第三、刊行物に記載された発明
刊行物１；特開平６−２４６０４０号公報
刊行物２；特開平３−１８２２８０号公報
　
　原査定の拒絶理由通知に引用された特開平６−２４６０４０号公報（以下、「引用刊行物１」という。）には、以下の事項が記載されている。
　（１ａ）「【特許請求の範囲】
【請求項１】  複数種類の識別情報を所定の方向に移動表示可能な可変表示部を複数有する可変表示装置を含み、前記複数の可変表示部の可変停止時の表示結果が予め定められた特定の識別情報の組合せになった場合に所定の遊技価値が付与可能となる遊技機であって、
前記複数の可変表示部を表示制御する可変表示制御手段を含み、
該可変表示制御手段は、前記複数の可変表示部の一部が移動表示中でありかつ既に停止した可変表示部の表示結果が前記特定の識別情報の組合せとなる条件を満たしている場合に、前記移動表示中の可変表示部の表示領域を少なくとも識別情報の移動方向に沿って拡張制御する拡張制御手段を含むことを特徴とする、遊技機。」、
　（１ｂ）「【０００８】図１は、本発明に係る遊技機の一例のパチンコ遊技機の遊技盤面を示す正面図である。遊技者が図示しない打球操作ハンドルを操作すれば、打球待機樋（図示せず）に貯留されているパチンコ玉が１つずつ遊技盤１の前面に形成されている遊技領域２内に打込まれる。遊技領域２には、複数種類の識別情報を可変表示可能な、液晶表示装置を用いた可変表示装置３が設けられているとともに、始動入賞口１０が設けられている。これら始動入賞口１０内に入賞したパチンコ玉は、始動入賞玉検出器１１により検出される。
【０００９】始動入賞玉検出器１１の検出信号に基づき、可変表示装置３の液晶表示部５０により複数種類の識別情報の一例の図柄がスクロール表示される。この液晶表示部５０は、後述するように、３行×３列のマトリックス状に配列された９つの可変表示部の一例の図柄表示部７９Ａ〜７９Ｉに分割されており、各図柄表示部は、上方から下方等の所定の方向に向かって所定の複数種類の図柄を順次スクロール表示（移動表示）する。そして、複数の図柄表示部が停止時期を異ならせて停止制御され、停止時の表示結果が予め定められた特定の識別情報になれば、可変入賞球装置４の開閉板７が開成されて遊技者にとって有利な第１の状態となる。この可変入賞球装置４は、通常時は開閉板７が閉成した遊技者にとって不利な第２の状態となっているが、可変表示装置３の可変停止時の表示結果が前記予め定められた特定の識別情報の組合せとなれば、ソレノイド１３が励磁されて開閉板７が開成された第１の状態となり大当り状態が発生して所定の遊技価値が付与可能な状態となる。この可変入賞球装置４の第１の状態は、打玉の所定個数（たとえば１０個）の入賞あるいは所定期間（たとえば３０秒間）の経過のいずれか早い方の条件が成立することにより終了して第２の状態となる。」、
　（１ｃ）「【００１４】図２は、液晶表示部５０の表示画面を示す図である。液晶表示部５０は、前述したように、３行×３列の９つの可変表示部７９Ａ〜７９Ｉに分割されており、パチンコ玉の始動入賞に基づいてすべての図柄表示部７９Ａ〜７９Ｉが一斉に可変開始されてそれぞれの図柄表示部７９Ａ〜７９Ｉにより複数種類の図柄が上方から下方に向かってスクロール表示される。そして、まず左上と右下の図柄表示部７９Ａ，７９Ｂが停止制御され、次に菱形状に配置された図柄表示部７９Ｃ，７９Ｄ，７９Ｅ，７９Ｆが停止制御され、次に右上と左下の図柄表示部７９Ｇ，７９Ｈが停止制御され、最後に中央の図柄表示部７９Ｉが停止制御される。
【００１５】そして、中段，上段，下段の横方向３本と左，中，右の縦方向３本と斜め対角線上に２本の合計８本の当りラインが定められており、この８本の当りラインのうちいずれかの当りライン上で特定の識別情報の組合せ（たとえば７７７）が成立すれば、大当り状態が発生する。
【００１６】（Ｂ）は、図柄表示部７９Ａ〜７９Ｆが停止した段階を示しており、未だに可変表示中の図柄表示部７９Ｉの表示結果が「７」となれば、左上から右下に延びる当りライン上において特定の識別情報の組合せ（７７７）が成立して大当りが発生する。このように、未だに可変表示している図柄表示部７９Ｉの表示結果次第で特定の識別情報の組合せが成立する状態をいわゆるリーチ状態といい、このリーチ状態が成立した場合には、（Ｃ）に示すように、リーチ状態が成立した当りライン上における未だに可変表示中の図柄表示部７９Ｉの表示領域が図柄のスクロール表示方向に沿った方向（図面では上下方向）に拡張制御される。その結果、拡張された図柄表示部７９Ｉによって図柄がスクロール表示されるため、図柄の前後関係がよくわかる利点がある。・・・」、　
　（１ｄ）「【００１７】図３の（Ａ），（Ｂ）は、それぞれ、可変表示装置による可変表示の他の例を示す表示画面図である。
　・・・
【００１９】次に、（Ｂ）の場合には、縦の当りラインにリーチ状態が成立しているため、少なくともリーチ状態となった後においては、図柄表示部７９Ｉにより表示される図柄が横方向にスクロール表示される。そして、図示するように、図柄表示部７９Ｃと７９Ｅとがたとえば「７」で停止表示されてリーチ状態が発生すれば、そのリーチが発生した中央縦方向の当りライン上にある図柄表示部７９Ｉの表示領域が図柄スクロール方向すなわち横方向に拡張されて表示される。そして、図示するように、図柄表示部７９Ｃ，７９Ｉ，７９Ｅが目印表示枠８０Ｃ，７８Ｉ，８０Ｅにより囲まれて遊技者がわかりやすいように表示される。」、
　（１ｅ）「【００３３】・・・このマイクロコンピュータ８１により、前記複数の可変表示部を可変開始させた後停止時期を異ならせて停止制御する可変表示制御手段が構成されている。・・・
【００３４】そして、マイクロコンピュータ８１は、当りと事前決定された場合に、可変表示装置３が可変停止した後所定の時間を経過させてからソレノイド駆動回路９３を介してソレノイド１３を励磁するための制御信号を出力し、可変入賞球装置４を第１の状態に駆動制御する。・・・」、　
　（１ｆ）また、【図１】乃至【図４】には「長方形に形成された液晶表示部５０」が示されている。　
　
　したがって、引用刊行物１には、
「液晶表示装置と、
　液晶表示装置に複数種類の図柄を可変表示可能な長方形に形成された液晶表示部５０と、
　液晶表示部５０に３行×３列のマトリックス状に配列された９つの図柄表示部７９Ａ〜７９Ｉと、
　９つの図柄表示部７９Ａ〜７９Ｉに所定の方向に向かって所定の複数種類の図柄を順次スクロール表示し、停止時期を異ならせて停止制御する可変表示制御手段と、
　中段，上段，下段の横方向３本と左，中，右の縦方向３本と斜め対角線上に２本の合計８本の当りラインが定められており、この８本の当りラインのうちいずれかの当りライン上で特定の図柄の組合せが成立すれば、大当り状態が発生するように制御するマイクロコンピュータ８１とを備えた遊技機の可変表示装置３。」の発明（以下、「引用発明１」という。）が記載されていると認められる。
　
　原査定の拒絶理由通知に引用された特開平３−１８２２８０号公報（以下、「引用刊行物２」という。）において、
　（２ａ）第２頁左上欄第１９行乃至右上欄第１６行には「第１図は一実施例のパチンコ機の図柄表示装置（以下、図柄表示装置という）を示す正面図、第２図は同実施例の図柄表示装置における表示部の要部を模式的に示す側断面図であり、該図柄表示装置の表示部は、角筒状面の周方向及び軸方向に沿ってそれぞれその表示面を外側に向けて単位デジタル表示体を配置したデジタル表示器１ａ〜ｌｄ，２ａ〜２ｄ及び３ａ〜３ｄをさらに内筒状面の周方向及び軸方向に沿って配設し、平板状に形成された７行５列のドットマトリクスＬＥＤよりなる単位デジタル表示体によって形成される各々のデジタル表示器はその表示面を筒状面外側に向け、ドットマトリクスＬＥＤの端子挿入基板４の導体を兼ねる支持体５を介してプリント配線基板６上に固定すると共に、コモン入力端子及びＬＥＤ入力端子となる支持体５をプリント配線基板６の裏面で適宜プリント配線し、コネクタ７を介して制御手段（後述）に接続する。」と、
　（２ｂ）第２頁左下欄第１３行乃至右下欄第４行には「第３図は実施例の図柄表示装置における制御手段の概略を示す機能ブロック図であり、マイクロプロセッサ（以下、ＣＰＵという）１２の指令により駆動制御されるＬＥＤ駆動回路１３には、縦列状に配列された複数のデジタル表示器１ａ〜１ｄ，２ａ〜２ｄ及び３ａ〜３ｄを各組毎に起動及び同期制御するＬＥＤ起動同期回路１４ａ〜１４ｃが接続され、遊戯盤上の相異なる入賞口に配設された入賞検出スイッチ等によって構成される左ＬＥＤ始動手段１５ａ，中ＬＥＤ始動手段１５ｂ及び右ＬＥＤ始動手段１５ｃが入力回路１６を介してＣＰＵ１２に接続されている。」と、　
　（２ｃ）第３頁右上欄第３行乃至第１０行には「以下、ＣＰＵ１２は所定周期毎にステップＳ１，ステップＳ２の判別処理のみを繰返し実行することとなるが、この間に左ＬＥＤ始動手段１５ａからの始動信号が入力されるとステップＳ２でこれを検出し、ステップＳ３以降の処理、即ち、実質的な「左ＬＥＤ可変表示処理」を開始する。
　ＣＰＵ１２は、まず、フラグＦをセットして左ＬＥＤの可変表示が開始されたことを記憶し、・・・」と、　
　（２ｄ）第３頁右下欄第１２行乃至第４頁左上欄第１行には「従って、ステップＳ３で初期設定を実行するようにした場合であれば、図柄を指定する指標ｉ，ｊ，ｋ，ｌの現在値はそれぞれ１，２，３，４となり、左ＬＥＤ１ａにはアドレス１〜７のデータで構成される図柄「０」（第５図参照）が表示され、左ＬＥＤ１ｂにはアドレス８〜１４で示される図柄「２」（第６図参照）が表示され、以下同様に、左ＬＥＤ１ｃには図柄「５」が、また、左ＬＥＤ１ｄには図柄「７」が表示されることとなる。」と、　　
　（２ｅ）第４頁左下欄第９行乃至右下欄第１行には「即ち、左ＬＥＤ１ａには図柄「０」の下部略半分と図柄「２」の上部略半分が表示され、これらの図柄間に１行分のブランクが表示されることとなる（第９図参照）。同様に、左ＬＥＤ１ｂには図柄「２」の下部略半分と図柄「５」の上部略半分が表示されることとなり（第１０図参照，以下省略）、左ＬＥＤ１ａ〜１ｄに表示されていた各々の図柄が１／２ピッチ分上方にシフトされたことを意味する。また、左ＬＥＤ１ｄに表示すべき図柄を指定する指標ｌの値は実質的に１インクリメントされ、左ＬＥＤ１ｄの下部にはＩ＋１、即ち、５番目の図柄「９」の上部略半分が表示される。」と、　
　（２ｆ）第５頁右上欄第７行乃至左下欄第１８行には「したがって、ＲＯＭ１７に記憶された図柄は循環的に読出されて順次１／２ピッチずつ上方にシフト表示されることとなり、表示内容が不連続となることはない。また、指標ｉ，ｊ，ｋに対してはステップＳ１５〜ステップＳ１７及びステップＳ１９〜ステップＳ２１でこれと同様の処理が施される。
　このようにして、図柄の移動速度を遅らせつつ、ＲＯＭ１７に記憶された図柄を１／２ピッチずつ上方にシフトして移動表示する間に、左ＬＥＤ１ａ〜１ｄの可変表示時間を制御するタイマＴの設定時間の経過が確認されると（ステップＳ２２）、ＣＰＵ１２は図柄合わせの対象となる左ＬＥＤ１ｃの図柄、即ち、指標ｋの現在値に基づく図柄データを保存し、左ＬＥＤ１ａ〜１ｄの可変表示中を示すフラグＦをリセットして（ステップＳ２２）、この周期の「左ＬＥＤ可変表示処理」を終了する。フラグＦがリセットされることにより、左ＬＥＤ始動手段１５ａからの始動信号が再入力されない限りステップＳ３以降の処理は非実行とされ、実質的な「左ＬＥＤ可変表示処理」が完了し、左ＬＥＤ１ａ〜１ｄの図柄がそのまま保持されて移動停止状態となる。・・・
　以上、左ＬＥＤ１ａ〜１ｄの可変表示について説明したが、中ＬＥＤ２ａ　〜２ｄ及び右ＬＥＤ３ａ〜３ｄに関する処理も前記と略同一の構成を有し、各々所定周期毎に実行されるようになっている。」と、　　
　（２ｇ）第５頁右下欄第１０行乃至第１３行には「各列の可変表示を開始させるための始動信号を各列毎に設けるか、単一の始動信号により各列の可変表示を同時に開始させるかは任意であり、・・・」と、　
　（２ｈ）第６頁右上欄第３行乃至第５行には「また、図柄の移動ピッチも１／２ピッチに限らず、一行刻みで任意に設定することができる。」と、　
　（２ｉ）第６頁右上欄第１２行乃至左下欄第１行には「発明の効果
　本発明のパチンコ機の図柄表示装置によれば、筒状面の周方向及び軸方向に沿ってそれぞれその表示面を外側に向けて複数の単位デジタル表示体を配置したデジタル表示器をさらに筒状面の周方向及び軸方向に配列したので、図柄が立体的に表示され、図柄表示の遠近感を忠実に再現することができ、また、全体としての表示面積が図柄の移動方向に増大するため、移動表示される図柄の流れを適格に把握することが可能となる。」と、それぞれ記載されている。　　
　（２ｊ）また、パチンコ機の図柄表示装置を示す正面図である第１図及び図柄表示装置における表示部の要部を示す側断面図である第２図には「図柄表示装置の表示部」は「正面視縦長四角形状」の事項が示されている。
　　
　したがって、引用刊行物２には、
「制御手段に接続されたデジタル表示器１ａ〜ｌｄ，２ａ〜２ｄ及び３ａ〜３ｄを、角筒状面の周方向及び軸方向に沿って配設して、正面視縦長四角形状の表示部を形成し、
　単一の始動信号により左ＬＥＤ１ａ〜１ｄ、中ＬＥＤ２ａ〜２ｄ及び右ＬＥＤ３ａ〜３ｄの可変表示を同時に開始させ、可変表示時間を制御するタイマＴの設定時間の経過が確認されると、左ＬＥＤ１ａ〜１ｄ、中ＬＥＤ２ａ〜２ｄ及び右ＬＥＤ３ａ〜３ｄの図柄が移動停止状態となる、図柄表示装置であって、
　左ＬＥＤ１ａ〜１ｄ、中ＬＥＤ２ａ〜２ｄ及び右ＬＥＤ３ａ〜３ｄに表示される各々の図柄は循環的に読出されて順次所定のピッチずつ上方にシフト表示され、表示内容が不連続となることはなく、
　全体としての表示面積が図柄の移動方向に増大するため、移動表示される図柄の流れを適格に把握することが可能となる、パチンコ機の図柄表示装置。」の発明（以下、「引用発明２」という。）が記載されていると認められる。
　　
第四、本願補正発明と引用発明１との比較・検討
　（四、１）引用発明１の「液晶表示装置」は、本願補正発明の「表示パネル」に相当し、以下同様に、「複数種類の図柄」は、「複数の図柄」に、「長方形に形成され」は「長方形に形成され」に、「液晶表示部５０」は「表示領域」に、「３行×３列のマトリックス状に配列された９つの図柄表示部７９Ａ〜７９Ｉ」は「複数行複数列に区分された複数のエリア」に、「順次スクロール表示し、停止時期を異ならせて停止制御する可変表示制御手段」は「可変表示して停止する図柄変動手段」に、「中段，上段，下段の横方向３本と左，中，右の縦方向３本と斜め対角線上に２本の合計８本の当りラインが定められており」は「複数の図柄の停止する当たりラインが複数であって」に、「この８本の当りラインのうちいずれかの当りライン上で特定の図柄の組合せが成立すれば」は「当たりラインに停止した複数の図柄が当たり図柄の組み合わせに揃った場合に」に、「大当り状態が発生するように制御するマイクロコンピュータ８１」は「遊技者に有利な遊技状況を発生する制御部」に、「遊技機」は「遊技機」に、「可変表示装置３」は「画像表示装置」に、それぞれ相当する。
　（四、２）引用発明１の「液晶表示部５０」は複数種類の図柄を遊技者に見せるために形成されていることは明らかである。
　
　そうすると、両者の一致点及び相違点は次のとおりである。
　
　一致点
　表示パネルと、
　表示パネルに複数の図柄を遊技者に見せるために長方形に形成された表示領域と、
　表示領域に複数の図柄を表示するために複数行複数列に区分された複数のエリアと、
　複数のエリアに複数の図柄を可変表示して停止する図柄変動手段と、
　複数の図柄の停止する当たりラインが複数であって当たりラインに停止した複数の図柄が当たり図柄の組み合わせに揃った場合に遊技者に有利な遊技状況を発生する制御部とを備えた遊技機の画像表示装置。
　
　相違点（Ａ）
　本願補正発明が「複数の図柄を可変表示の開始から停止まで表示領域の長辺と平行する方向に可変表示」するのに対して、引用発明１は「複数種類の図柄」を「スクロール表示」する時期と方向について特定していない点
　　
　そこで、上記相違点（Ａ）について検討する。
　引用発明２には「複数のエリア（左ＬＥＤ１ａ〜１ｄ、又は中ＬＥＤ２ａ〜２ｄ、又は右ＬＥＤ３ａ〜３ｄ）に複数の図柄を可変表示の開始から停止まで正面視長方形に形成された表示領域（正面視縦長四角形状の表示部）の長辺と平行する方向（上方）に可変表示して停止する図柄変動手段（制御手段）」が記載されている。そして、引用発明１及び２は「正面視長方形の表示領域を備えた遊技機の画像表示装置」において共通しているから、引用発明１の図柄変動手段に引用発明２の図柄変動手段を適用して、上記相違点（Ａ）に係る構成とすることは、当業者が容易になし得るものである。
　　　　　　
　また、効果においても、引用発明２は「表示面積が図柄の移動方向に増大するため、移動表示される図柄の流れを適格に把握することが可能となる」ものであるから、本願補正発明が格別の効果を奏するものとは認められない。
　
　したがって、本願補正発明は、引用発明１及び２に基づいて、当業者が容易に発明をすることができたものであるから、特許法第２９条第２項の規定により特許出願の際独立して特許を受けることができないものである。
　
第五、本件補正についてのむすび
　以上のとおり、本件補正は、平成６年改正前特許法第１７条の２第４項で準用する同法第１２６条第３項の規定に違反するものであり、特許法第１５９条第１項で準用する特許法第５３条第１項の規定により却下されるべきものである。
　
第六、本願発明について
　平成１７年９月２２日付けの手続き補正は上記のとおり却下されたので、本願の請求項１及び２に係る発明は、上記平成１７年４月１日付けで補正された明細書の記載からみて、その特許請求の範囲の請求項１及び２に記載されたとおりのものと認められるところ、その請求項１に記載された発明は次のとおりのものである。
　「【請求項１】　電気的な表示パネルと、表示パネルに電気的に表示された複数の図柄を遊技者に見せるために長方形に形成された表示領域と、表示領域に複数の図柄を可変表示して停止しかつ停止した図柄が当たり図柄である場合に遊技者に有利な遊技状況を発生する制御部とを備え、制御部が複数の図柄における可変表示の開始から停止までの可変方向を表示領域の長辺と平行する方向に設定する図柄変動手段を備えたことを特徴とする遊技機の画像表示装置。」（以下、「本願発明」という。）
　
第七、刊行物に記載された発明
　原査定の拒絶理由通知に引用された刊行物及びその記載事項は前記「第三、刊行物に記載された発明」に記載したとおりである。
　
第八、本願発明と引用発明１との比較・検討
　（八、１）引用発明１の「液晶表示装置」は、本願補正発明の「電気的な表示パネル」に相当し、以下同様に、「複数種類の図柄」は、「電気的に表示された複数の図柄」に、「長方形に形成され」は「長方形に形成され」に、「液晶表示部５０」は「表示領域」に、「この８本の当りラインのうちいずれかの当りライン上で特定の図柄の組合せが成立すれば」は「停止した図柄が当たり図柄である場合に」に、「大当り状態が発生するように制御するマイクロコンピュータ８１」は「遊技者に有利な遊技状況を発生する制御部」に、「順次スクロール表示し、停止時期を異ならせて停止制御する可変表示制御手段」は「図柄変動手段」に、「遊技機」は「遊技機」に、「可変表示装置３」は「画像表示装置」に、それぞれ相当する。
　（八、２）引用発明１の「液晶表示部５０」は複数種類の図柄を遊技者に見せるために形成されていることは明らかである。
　　　　　
　そうすると、両者の一致点及び相違点は次のとおりである。
　
　一致点
　電気的な表示パネルと、
　表示パネルに電気的に表示された複数の図柄を遊技者に見せるために長方形に形成された表示領域と、
　表示領域に複数の図柄を可変表示して停止しかつ停止した図柄が当たり図柄である場合に遊技者に有利な遊技状況を発生する制御部とを備え、
　制御部が複数の図柄における可変方向を設定する図柄変動手段を備えた遊技機の画像表示装置。
　
　相違点（あ）
　本願発明が「複数の図柄における可変表示の開始から停止までの可変方向を表示領域の長辺と平行する方向に設定」するのに対して、引用発明１は「複数種類の図柄」を「スクロール表示」する時期と方向について特定していない点
　　　
　そこで、上記相違点（あ）について検討する。
　引用発明２には「複数の図柄における可変表示の開始から停止までの可変方向を表示領域（正面視縦長四角形状の表示部）の長辺と平行する方向（上方）に設定する図柄変動手段（制御手段）」が記載されている。そして、引用発明１及び２は「正面視長方形の表示領域を備えた遊技機の画像表示装置」において一致しているから、引用発明１の図柄変動手段に引用発明２の図柄変動手段を適用して、相違点（あ）に係る構成とすることは、当業者が容易になし得るものである。
　　　　　
　また、効果においても、引用発明２は「表示面積が図柄の移動方向に増大するため、移動表示される図柄の流れを適格に把握することが可能となる」ものであるから、本願発明が格別の効果を奏するものとは認められない。
　　　　
第九、本願発明についてのむすび
　以上のとおり、本願発明は、引用発明１及び２に基づいて、当業者が容易に発明をすることができたものであるから、特許法第２９条第２項の規定により特許を受けることができないものであり、本願の他の請求項に係る発明について検討するまでもなく、本願は拒絶すべきものである。
　よって、結論のとおり審決する。